(57)【要約】【課題】トレイに関する情報を容易に設定することである。【解決手段】画像形成装置としての複写機１において、記録媒体の種類に応じて記録媒体に画像を形成する画像形成部としてのプリンタ部４０と、記録媒体を収容するトレイ５１〜５４と、複数の記録媒体情報と当該各記録媒体情報に対応した複数の第１名称とを登録する登録手段と、登録された複数の第１名称の記録媒体情報から各トレイの記録媒体情報を選択して設定する設定手段と、を備える。【選択図】図１
2006151608.tif 000002
【特許請求の範囲】
【請求項１】
記録媒体の種類に応じて記録媒体に画像を形成する画像形成部と、
記録媒体を収容する少なくとも一つのトレイと、
複数の記録媒体情報と当該各記録媒体情報に対応した複数の第１名称とを登録する登録手段と、
前記登録手段に登録された複数の第１名称の記録媒体情報から前記各トレイの記録媒体情報を選択して設定する設定手段と、を備えることを特徴とする画像形成装置。
【請求項２】
前記登録手段は、第１名称の入力を受け付け、当該入力された第１名称を登録することを特徴とする請求項１に記載の画像形成装置。
【請求項３】
前記登録手段は、記録媒体情報の項目の入力を受け付け、当該入力された項目の少なくとも一つを第１名称として自動的に登録することを特徴とする請求項１又は２に記載の画像形成装置。
【請求項４】
前記登録手段は、前記入力された記録媒体情報の紙種を第１名称として自動的に登録することを特徴とする請求項３に記載の画像形成装置。
【請求項５】
前記登録手段は、前記登録された記録媒体情報及び第１名称を変更可能であることを特徴とする請求項１から４のいずれか一項に記載の画像形成装置。
【請求項６】
前記設定手段は、前記登録された第１名称及び記録媒体情報を選択して前記各トレイの第２名称及び記録媒体情報に設定し、前記設定した記録媒体情報を変更可能であり、任意の第２名称が設定されていない記録媒体情報の項目を変更する場合に、その変更した項目の少なくとも一つを第２名称に自動的に設定することを特徴とする請求項１から５のいずれか一項に記載の画像形成装置。
【請求項７】
前記設定手段は、任意の第２名称が設定されていない記録媒体情報の紙種を変更する場合に、その変更した紙種を第２名称に自動的に設定することを特徴とする請求項６に記載の画像形成装置。
【請求項８】
前記登録された第１名称とともに、対応する記録媒体情報を表示する表示部を備えることを特徴とする請求項１から７のいずれか一項に記載の画像形成装置。
【請求項９】
記録媒体の種類に応じて記録媒体に画像を形成する画像形成部と、
記録媒体を収容する少なくとも一つのトレイと、
前記各トレイの記録媒体情報及び名称を設定する設定手段と、を備え、
前記設定手段は、前記設定した記録媒体情報を変更可能であり、任意の名称が設定されていない記録媒体情報の項目を変更する場合に、その変更した項目の少なくとも一つを名称に自動的に設定することを特徴とする画像形成装置。
【請求項１０】
前記設定手段は、任意の名称が設定されていない記録媒体情報の紙種を変更する場合に、その変更した紙種を名称に自動的に設定することを特徴とする請求項９に記載の画像形成装置。
【請求項１１】
前記記録媒体情報は、記録媒体の紙種、坪量、色、パンチ穴の有無、主副画像位置及び主副走査倍率の少なくとも一つの項目を含むことを特徴とする請求項１から１０のいずれか一項に記載の画像形成装置。
【請求項１２】
画像形成する記録媒体に対応する複数の記録媒体情報と当該各記録媒体情報に対応した複数の第１名称とを登録する工程と、
前記登録された複数の第１名称の記録媒体情報から、記録媒体を収容する各トレイの記録媒体情報を選択して設定する工程と、を含むことを特徴とする記録媒体情報設定方法。
【請求項１３】
画像形成する記録媒体をそれぞれ収容する各トレイの記録媒体情報及び名称を設定する工程と、
前記設定した記録媒体情報のうち、名称が設定されていない記録媒体情報の項目を変更する場合に、その変更した項目の少なくとも一つを名称に自動的に設定する工程と、を含むことを特徴とする記録媒体情報設定方法。
【発明の詳細な説明】
【技術分野】
【０００１】
本発明は、記録媒体に画像を形成する画像形成装置及び記録媒体情報設定方法に関する。
【背景技術】
【０００２】
従来、レーザ式等のプリンタ、複写機等の画像形成装置において、転写紙を収容するトレイが複数設けられ、各トレイに収容する転写紙の種類を異にし、所望のトレイに収容される転写紙に画像形成する制御が行われていた。
【０００３】
どのトレイにどの転写紙が収容されているかについては、トレイごとに収容する転写紙に関する情報（転写紙情報）が固定して設定される構成がとられていた。トレイごとの転写紙情報の固定設定及びその変更は、サービスマン、キーオペレータが行っていた。
【０００４】
また、トレイごとに転写紙情報及びその名称を設定する構成も考えられている（例えば、特許文献１参照）。
【特許文献１】特開２００２−２４０９６１号公報
【発明の開示】
【発明が解決しようとする課題】
【０００５】
しかし、従来のトレイごとに転写紙情報を固定して設定する構成では、トレイに設定した転写紙情報を容易に変更できず、トレイに対応付けられた転写紙情報と異なる転写紙が収容されるおそれがあった。
【０００６】
また、特許文献１に記載のように、トレイごとに転写紙情報を入力して設定する構成では、トレイに対応付けられた転写紙情報を設定する場合に、設定のたびに転写紙情報を入力せねばならず面倒であった。
【０００７】
また、特許文献１に記載のように、トレイごとに名称を設定する構成では、トレイに対応付けられた名称を変更設定する場合にも、そのたびに転写紙情報を入力せねばならず面倒であった。また、その名称からトレイを識別できても転写紙情報を識別できないおそれがあった。
【０００８】
本発明の課題は、トレイに関する情報を容易に設定することである。
【課題を解決するための手段】
【０００９】
上記の課題を解決するために、請求項１に記載の発明は、
記録媒体の種類に応じて記録媒体に画像を形成する画像形成部と、
記録媒体を収容する少なくとも一つのトレイと、
複数の記録媒体情報と当該各記録媒体情報に対応した複数の第１名称とを登録する登録手段と、
前記登録手段に登録された複数の第１名称の記録媒体情報から前記各トレイの記録媒体情報を選択して設定する設定手段と、を備えることを特徴とする画像形成装置である。
【００１０】
請求項２に記載の発明は、請求項１に記載の画像形成装置において、
前記登録手段は、第１名称の入力を受け付け、当該入力された第１名称を登録することを特徴とする。
【００１１】
請求項３に記載の発明は、請求項１又は２に記載の画像形成装置において、
前記登録手段は、記録媒体情報の項目の入力を受け付け、当該入力された項目の少なくとも一つを第１名称として自動的に登録することを特徴とする。
【００１２】
請求項４に記載の発明は、請求項３に記載の画像形成装置において、
前記登録手段は、前記入力された記録媒体情報の紙種を第１名称として自動的に登録することを特徴とする。
【００１３】
請求項５に記載の発明は、請求項１から４のいずれか一項に記載の画像形成装置において、
前記登録手段は、前記登録された記録媒体情報及び第１名称を変更可能であることを特徴とする。
【００１４】
請求項６に記載の発明は、請求項１から５のいずれか一項に記載の画像形成装置において、
前記設定手段は、前記登録された第１名称及び記録媒体情報を選択して前記各トレイの第２名称及び記録媒体情報に設定し、前記設定した記録媒体情報を変更可能であり、任意の第２名称が設定されていない記録媒体情報の項目を変更する場合に、その変更した項目の少なくとも一つを第２名称に自動的に設定することを特徴とする。
【００１５】
請求項７に記載の発明は、請求項６に記載の画像形成装置において、
前記設定手段は、任意の第２名称が設定されていない記録媒体情報の紙種を変更する場合に、その変更した紙種を第２名称に自動的に設定することを特徴とする。
【００１６】
請求項８に記載の発明は、請求項１から７のいずれか一項に記載の画像形成装置において、
前記登録された第１名称とともに、対応する記録媒体情報を表示する表示部を備えることを特徴とする。
【００１７】
請求項９に記載の発明は、
記録媒体の種類に応じて記録媒体に画像を形成する画像形成部と、
記録媒体を収容する少なくとも一つのトレイと、
前記各トレイの記録媒体情報及び名称を設定する設定手段と、を備え、
前記設定手段は、前記設定した記録媒体情報を変更可能であり、任意の名称が設定されていない記録媒体情報の項目を変更する場合に、その変更した項目の少なくとも一つを名称に自動的に設定することを特徴とする画像形成装置である。
【００１８】
請求項１０に記載の発明は、請求項９に記載の画像形成装置において、
前記設定手段は、任意の名称が設定されていない記録媒体情報の紙種を変更する場合に、その変更した紙種を名称に自動的に設定することを特徴とする。
【００１９】
請求項１１に記載の発明は、請求項１から１０のいずれか一項に記載の画像形成装置において、
前記記録媒体情報は、記録媒体の紙種、坪量、色、パンチ穴の有無、主副画像位置及び主副走査倍率の少なくとも一つの項目を含むことを特徴とする。
【００２０】
請求項１２に記載の発明は、
画像形成する記録媒体に対応する複数の記録媒体情報と当該各記録媒体情報に対応した複数の第１名称とを登録する工程と、
前記登録された複数の第１名称の記録媒体情報から、記録媒体を収容する各トレイの記録媒体情報を選択して設定する工程と、を含むことを特徴とする記録媒体情報設定方法である。
【００２１】
請求項１３に記載の発明は、
画像形成する記録媒体をそれぞれ収容する各トレイの記録媒体情報及び名称を設定する工程と、
前記設定した記録媒体情報のうち、名称が設定されていない記録媒体情報の項目を変更する場合に、その変更した項目の少なくとも一つを名称に自動的に設定する工程と、を含むことを特徴とする記録媒体情報設定方法である。
【発明の効果】
【００２２】
請求項１又は１２に記載の発明によれば、複数の記録媒体情報と各記録媒体情報に対応した複数の第１名称とを登録し、登録された複数の第１名称の記録媒体情報から各トレイの記録媒体情報を選択して設定するので、登録した複数の記録媒体情報から各トレイの記録媒体情報を選択して容易に設定できるとともに、第１名称を用いて記録媒体情報を容易に選択できる。
【００２３】
請求項２に記載の発明によれば、入力された第１名称を登録するので、ユーザが任意の第１名称を登録できる。
【００２４】
請求項３に記載の発明によれば、入力された記録媒体情報の少なくとも一つの項目を第１名称として自動的に登録するので、第１名称を入力することなく容易に登録できるとともに、ユーザが第１名称から記録媒体情報の少なくとも１つの項目を容易に把握できる。
【００２５】
請求項４に記載の発明によれば、入力された記録媒体情報の紙種を第１名称として自動的に登録するので、第１名称を入力することなく容易に登録できるとともに、ユーザが第１名称から記録媒体情報の紙種を容易に把握できる。
【００２６】
請求項５に記載の発明によれば、登録された記録媒体情報及び第１名称を変更できる。
【００２７】
請求項６に記載の発明によれば、登録された第１名称及び記録媒体情報を選択して各トレイの第２名称及び記録媒体情報に設定し、任意の第２名称が設定されていない記録媒体情報の項目を変更する場合に、その変更した項目の少なくとも一つを第２名称に自動的に設定するので、登録した複数の第１名称及び記録媒体情報から各トレイの第２名称及び記録媒体情報を選択して容易に設定でき、任意に名称設定されている第２名称を自動的に変更することを防ぎ、第２名称を入力することなく容易に設定できるとともに、ユーザが第２名称から記録媒体情報の少なくとも１つの項目を容易に把握できる。
【００２８】
請求項７に記載の発明によれば、任意の第２名称が設定されていない記録媒体情報の紙種を変更する場合に、その変更した紙種を第２名称に自動的に設定するので、任意に名称設定されている第２名称を自動的に変更することを防ぎ、ユーザが第２名称を入力することなく容易に設定できるとともに、ユーザが第２名称から記録媒体情報の紙種を容易に把握できる。
【００２９】
請求項８に記載の発明によれば、登録された第１名称とともに、対応する記録媒体情報を表示するので、ユーザが目視により、第１名称及び記録媒体情報の対応関係とともに、各記録媒体の情報を容易に把握できる。
【００３０】
請求項９又は１３に記載の発明によれば、任意の名称が設定されていない記録媒体情報の項目を変更する場合に、その変更した項目の少なくとも一つを名称に自動的に設定するので、任意に設定されている名称を自動的に変更することを防ぎ、名称を入力することなく容易に設定できるとともに、ユーザが名称から記録媒体情報の少なくとも１つの項目を容易に把握できる。
【００３１】
請求項１０に記載の発明によれば、任意の名称が設定されていない記録媒体情報の紙種を変更する場合に、その変更した紙種を名称に自動的に設定するので、任意に設定されている名称を自動的に変更することを防ぎ、名称を入力することなく容易に設定できるとともに、ユーザが名称から記録媒体情報の紙種を容易に把握できる。
【００３２】
請求項１１に記載の発明によれば、記録媒体情報は、記録媒体の紙種、坪量、色、パンチ穴の有無、主副画像位置及び主副走査倍率の少なくとも一つの項目を含むので、記録媒体情報を多様に構成できる。
【発明を実施するための最良の形態】
【００３３】
以下、図面を参照して本発明に係る実施の形態を説明する。ただし、発明の範囲は、図示例に限定されない。
【００３４】
先ず、図１及び図２を参照して本実施の形態の装置の特徴を説明する。図１に、本実施の形態の画像形成装置としての複写機１の構成を示す。図２に、複写機１の機能構成を示す。
【００３５】
先ず、図１を参照して、複写機１の構成を説明する。図１に示すように、複写機１は、画像読取部２０と、操作部３０と、プリンタ部４０と、給紙ユニット５０と、後処理ユニット７０と、を備えて構成される。
【００３６】
画像読取部２０は、自動紙送り機構であるＡＤＦ（Auto Document Feeder）部２１と、スキャナ部２２と、を備えて構成される。ＡＤＦ部２１は、原稿台に載置された原稿を搬送してスキャナ部２２に送り出し、スキャナ部２２は、搬送された原稿を光走査してラインイメージセンサとしてのＣＣＤ（Charge Coupled Device）２３（後述）により光電変換して原稿画像を読み取る。
【００３７】
操作部３０は、後述する表示部としてのＬＣＤ（Liquid Crystal Display）３１と、その他図示しない操作キー群と、を備えて構成される。
【００３８】
プリンタ部４０は、レーザ式の画像形成を行うものであり、給紙ユニット５０から給紙された転写紙を搬送する搬送機構４１と、転写紙に画像を書き込む画像書込部４２と、転写紙上に形成されたトナー像を加熱及び加圧により定着させる定着部４３と、を備えて構成される。また、画像書込部４２は、像担持体である感光体ドラムと、感光体ドラムの帯電を行う帯電部と、画像データに基づいて感光体ドラム表面に露光走査する露光部と、感光体ドラムにトナーを付着させる現像部と、感光体ドラム上に形成されたトナー像を転写紙に転写する転写部、感光体ドラム上の残トナーを除去するクリーニング部と、を備えて構成される。
【００３９】
定着部４３は、転写紙を加熱する電磁誘導式、ハロゲンヒータ式等の加熱ローラと、転写紙を加圧する加圧ローラとを備え、トナー像が形成された転写紙を、加熱ローラ及び加圧ローラのニップ部を通過させることにより、転写紙に画像を定着する。また、定着部４３は、温度センサを備えて、加熱ローラの温度検知に基づく電流制御より、定着温度を適温にするように制御する。
【００４０】
給紙ユニット５０は、給紙用の各種転写紙を収容するトレイ５１〜５４の４つのトレイを備えて構成される。なお、本実施の形態では、４つのトレイを備えることとしたが、その数は特に限定しない。各トレイ５１〜５４には、普通紙、再生紙、上質紙等の紙種、サイズ、色、穴明きの有無等が異なる転写紙を収容することが可能である。なお、本実施の形態では、記録媒体として、転写紙を例に取り説明するが、これに限定されるものではなく、ＯＨＰ（Over Head Projector）シート等の紙以外の材質のものであってもよい。
【００４１】
後処理ユニット７０は、画像形成された転写紙のソート処理を行うソート部、断裁処理を行う断裁部、パンチ穴をあける穴あけ処理を行う穴あけ部、ステープルをとめるステープル処理を行うステープル部等のうちの少なくとも一つを備える。後処理ユニット７０において、後処理が施された又は施されなかった転写紙は、排紙トレイ７１に排紙される。
【００４２】
次に、図２を参照して、複写機１の機能構成について説明する。図２に示すように、複写機１は、本体部１ａと、プリントコントローラ１ｂと、給紙ユニット５０と、後処理ユニット７０と、から構成される。本体部１ａのＬＡＮＩＦ（Local Area Network InterFace）１９又はプリントコントローラ１ｂのＬＡＮＩＦ６２を介してＬＡＮ上のユーザ端末ＰＣと相互に情報の送受信が可能に接続されている。
【００４３】
まず、本体部１ａについて説明する。本体部１ａは、制御本体部１０と、画像読取部２０と、操作部３０と、プリンタ部４０と、を備えて構成される。
【００４４】
制御本体部１０は、画像制御部１１と、不揮発メモリ１２と、読取処理部１３と、圧縮ＩＣ（Integrated Circuit）１４と、ＤＲＡＭ（Dynamic Random Access Memory）制御ＩＣ１５と、画像メモリ１６と、伸張ＩＣ１７と、書込処理部１８と、ＬＡＮＩＦ１９と、を備えて構成される。
【００４５】
画像制御部１１は、ＣＰＵ（Central Processing Unit）、ＲＡＭ等から構成され、不揮発メモリ１２に記憶されている各種プログラムが読み出されてＲＡＭに展開され、その展開された各種プログラムと、ＣＰＵとの協働で各種処理が実行される。また、各種プログラムは、不揮発メモリ１２でなく、ＲＯＭ（Read Only Memory）に記憶される構成としてもよい。
【００４６】
不揮発メモリ１２は、書き換え可能で不揮発性のメモリであり、後述する転写紙ＤＢ８０、トレイＤＢ９０等の情報を記憶する。
【００４７】
読取処理部１３は、画像読取部２０の読取制御部２４から入力されるアナログ画像信号に、アナログ処理、シェーディング処理等の各種処理を施した後、Ａ／Ｄ変換処理を行ってデジタル画像データを生成する。生成された画像データは、圧縮ＩＣ１４に出力される。
【００４８】
圧縮ＩＣ１４は、入力された画像データに圧縮処理を施してＤＲＡＭ制御ＩＣ１５に出力する。
【００４９】
ＤＲＡＭ制御ＩＣ１５は、画像制御部１１からの指示に従って、圧縮ＩＣ１４による画像データの圧縮処理及び伸張ＩＣ１７による圧縮画像データの伸張処理を制御するとともに、画像メモリ１６への画像データの入出力制御を行う。例えば、画像読取部２０により読み取られた画像データの保存が指示されると、読取処理部１３から入力された画像データの圧縮処理を圧縮ＩＣ１４により実行させて、圧縮画像データを画像メモリ１６の圧縮メモリ１６ａに格納させる。また、圧縮メモリ１６ａに格納された圧縮画像データの印刷出力が指示されると、圧縮メモリ１６ａから圧縮画像データを読み出し、伸張ＩＣ１７により伸張処理を実行させてページメモリ１６ｂに格納させる。さらに、ページメモリ１６ｂに格納された非圧縮画像データの印刷が指示されると、ページメモリ１６ｂから非圧縮画像データを読み出して書込処理部１８に出力する。
【００５０】
画像メモリ１６は、ＤＲＡＭから構成され、圧縮メモリ１６ａと、ページメモリ１６ｂと、を備える。圧縮メモリ１６ａは、圧縮画像データを格納するためのメモリである。ページメモリ１６ｂは、印刷前に印刷対象の非圧縮画像データを一時的に格納するためのメモリである。
【００５１】
伸張ＩＣ１７は、入力される圧縮画像データに伸張処理を施す。
【００５２】
書込処理部１８は、ＤＲＡＭ制御ＩＣ１５から入力された印刷対象の画像データに基づいて、画像形成のための印刷用データを生成し、プリンタ部４０に出力する。
【００５３】
ＬＡＮＩＦ１９は、ネットワークインターフェイスカード（以下、ＮＩＣ；Network Interface Card）、モデム等のＬＡＮと接続するための通信インターフェイスであり、ＬＡＮ上のユーザ端末ＰＣから印刷対象の画像データ、テキストデータを受信する。
【００５４】
画像読取部２０は、ＣＣＤ２３、ＣＣＤ２３を駆動制御する読取制御部２４を備えるスキャナ部２２と、ＡＤＦ２１と、から構成され、原稿台に載置された原稿面を露光走査した光の反射光をＣＣＤ２３により光電変換することにより原稿画像を読み取る。読み取られた原稿画像のアナログ画像信号は、制御本体部１０の読取処理部１３に出力される。
【００５５】
操作部３０は、ＬＣＤ３１と、操作部制御部３２と、その他図示しない操作キー群と、を備えて構成される。ＬＣＤ３１上にはＬＣＤ３１を覆うようにタッチパネルが設けられており、操作部制御部３２は、画像制御部１１から入力される表示信号に従って、印刷条件を操作入力するための操作画面や各種処理結果等をＬＣＤ３１に表示させる。また、操作部制御部３２は、操作キー群又はタッチパネルから入力される操作信号を画像制御部１１に出力する。
【００５６】
プリンタ部４０は、画像形成部４４と、画像制御部１１からの指示に従って画像形成部４４の画像形成動作を制御するプリンタ制御部４５と、を備えて構成される。画像形成部４４は、搬送機構４１と、画像書込部４２と、定着部４３と、を備える。本実施の形態では、プリンタ部４０を、レーザ式のプリンタ部を適用した例を説明するが、これに限定されるものではなく、インクジェット式、熱転写式、ドットインパクト式等、他のプリント方式を適用することとしてもよい。プリンタ部４０で画像形成された転写紙は、後処理ユニット７０に搬送され、後処理が施され又は施されずに排紙される。
【００５７】
次に、プリントコントローラ１ｂの各部について説明する。プリントコントローラ１ｂは、複写機１をネットワークプリンタとして使用する場合に、ＬＡＮに接続されるユーザ端末ＰＣから複写機１に入力されるプリントジョブの管理及び制御を行うものであり、ユーザ端末ＰＣから印刷対象の出力データ（テキストデータ、画像データ含む）を受信し、複写機１の動作状態に応じて当該出力データをプリントジョブとして割り振る機能を有する。
【００５８】
プリントコントローラ１ｂは、コントローラ制御部６１と、ＬＡＮＩＦ６２と、ＤＲＡＭ制御ＩＣ６３と、画像メモリ６４と、を備えて構成される。
【００５９】
コントローラ制御部６１は、プリントコントローラ１ｂの各部の動作を統括的に制御し、ＬＡＮを介してユーザ端末ＰＣから入力される出力データを複写機１の動作状態に応じてプリントジョブとして配信する機能を実現する。
【００６０】
ＬＡＮＩＦ６２は、ＮＩＣやモデム等のＬＡＮと接続するための通信インターフェイスであり、ユーザ端末ＰＣからＬＡＮを介して印刷対象の出力データを受信する。受信された出力データは、ＤＲＡＭ制御ＩＣ６３に出力される。
【００６１】
ＤＲＡＭ制御ＩＣ６３は、ＬＡＮＩＦ６２により受信された出力データの画像メモリ６４への格納や、画像メモリ６４からの出力データの読み出しを制御する。また、ＤＲＡＭ制御ＩＣ６３は、制御本体部１ａのＤＲＡＭ制御ＩＣ１５とＰＣＩバスで接続されており、コントローラ制御部６１からの指示に従って、印刷対象の出力データを画像メモリ６４から読み出してＤＲＡＭ制御ＩＣ１５に出力する。
【００６２】
画像メモリ６４は、ＤＲＡＭから構成され、入力された出力データを一時的に格納する。
【００６３】
次に、図３を参照して、本実施の形態に用いるデータ構成として、転写紙ＤＢ(Data Base)８０と、トレイＤＢ９０と、を説明する。図３（ａ）に、転写紙ＤＢ８０の構成を示す。図３（ｂ）に、トレイＤＢ９０の構成を示す。
【００６４】
転写紙ＤＢ８０は、転写紙（の種類）ごとに登録される情報であり、データ変更可能に不揮発メモリ１２に記憶される。転写紙ＤＢ８０は、図３（ａ）に示すように、転写紙の登録番号８０Ａと、名称８０Ｂと、転写紙情報８０Ｃと、から構成される。転写紙情報８０Ｃは、項目として、紙種８１と、坪量８２と、色８３と、穴あき８４と、主副画像位置８５と、主副画像倍率８６と、から構成される。
【００６５】
紙種８１は、転写紙の紙種を示し、例えば、普通紙、塗工紙、厚紙、上質紙、ラフ紙、ＯＨＰシート等の情報である。坪量は、転写紙の坪量を示し、例えば、６２〜７２［ｇ／ｍ２］等の情報である。色８３は、転写紙の色を示し、白、ピンク等の情報である。穴あきは、転写紙のパンチ穴の穴あきの有無を示す。主副画像位置８５は、転写紙の両面プリントにおける裏面プリント時の転写紙縮小による画像の位置ずれを補正するための情報であり、裏面プリント時の主走査位置及び副走査位置を示し、例えば、裏面プリントでの走査位置差分としての、主走査位置０．１［ｍｍ］、副走査位置０．０［ｍｍ］等の情報である。主副画像倍率８６は、転写紙の両面プリントにおける裏面プリント時の転写紙縮小による画像の大きさずれを補正するための情報であり、裏面プリント時の主走査倍率及び副走査倍率を示し、例えば、裏面プリントでの倍率差分としての、主走査倍率０．１［％］、副走査倍率０．０［％］等の情報である。
【００６６】
トレイＤＢ９０は、トレイごとに設定される情報であり、データ変更可能に不揮発メモリ１２に記憶される。トレイＤＢ９０は、図３（ｂ）に示すように、トレイを識別するトレイ番号９０Ａと、任意の名称９０Ｂと、トレイに収容する転写紙の転写紙情報９０Ｃと、収容する転写紙のサイズ９０Ｄと、から構成される。転写紙情報９０Ｃは、項目として、紙種９１と、坪量９２と、色９３と、穴あき９４と、主副画像位置９５と、主副画像倍率９６と、から構成される。転写紙情報９０Ｃは、転写紙情報８０Ｃと同様の項目を有する情報である。
【００６７】
次に、図４〜図１３を参照して、本実施の形態における複写機１の動作を説明する。図４〜図７に、転写紙ＤＢ登録処理の流れを示す。図８に、転写紙ＤＢ表示画面２００を示す。図９に、トレイＤＢ設定処理の流れを示す。図１０〜図１２に、トレイＤＢ変更処理の流れを示す。図１３に、トレイＤＢ表示画面３００を示す。
【００６８】
先ず、図４〜図７を参照して、転写紙ＤＢ８０を登録する転写紙ＤＢ登録処理を説明する。例えば、操作部３０を介してユーザから転写紙ＤＢ登録処理実行指示が入力されたことをトリガとして、画像制御部１１において、不揮発メモリ１２から転写紙ＤＢ登録プログラムが読み出され、ＲＡＭに展開された転写紙ＤＢ登録プログラムと、ＣＰＵとの協働により、転写紙ＤＢ登録処理が実行される。本実施の形態においては、ＣＰＵ及び転写紙ＤＢ登録プログラムが登録手段として機能する。
【００６９】
先ず、新規登録か否かが操作部３０を介してユーザから入力され、その入力内容に基づいて、新規登録か否かが判別される（ステップＳ１）。新規登録である場合（ステップＳ１；ＹＥＳ）、新規登録番号とともに、初期設定値として不揮発メモリ１２に記憶されている転写紙情報８０Ｃが設定されてＬＣＤ３１に表示される（ステップＳ２）。なお、本実施の形態としては、転写紙情報８０Ｃの初期設定値として、紙種が普通紙である場合の転写紙情報が不揮発メモリ１２に記憶されている。そして、設定した転写紙情報及び名称を登録確定するか否かが操作部３０を介してユーザから入力され、その入力内容に基づいて、設定した転写紙情報及び名称を登録確定するか否かが判別される（ステップＳ３）。登録確定は、転写紙情報及び名称の全ての項目が設定されていることを前提とするが、これに限定されるものではない。
【００７０】
新規登録でない場合（ステップＳ１；ＮＯ）、不揮発メモリ１２に記憶された転写紙ＤＢが読み出されてＬＣＤ３１に一覧表示され、変更するレコードが操作部３０を介してユーザから選択入力され、その選択入力されたレコードの登録番号８０Ａ、名称８０Ｂ、転写紙情報８０ＣがＬＣＤ３１に表示され（ステップＳ４）、ステップＳ３に移行される。登録確定された場合（ステップＳ３；ＹＥＳ）、設定した転写紙情報、名称が、転写紙ＤＢ８０の設定中の登録番号８０Ａのレコードの、転写紙情報８０Ｃ、名称８０Ｂとして不揮発メモリ１２に記憶され（ステップＳ５）、転写紙ＤＢ登録処理が終了する。
【００７１】
登録確定されていない場合（ステップＳ３；ＮＯ）、設定した転写紙情報、名称を登録キャンセルするか否かが操作部３０を介してユーザから入力され、その入力内容に基づいて、設定した転写紙情報及び名称を登録キャンセルするか否かが判別される（ステップＳ６）。登録キャンセルする場合（ステップＳ６；ＹＥＳ）、転写紙ＤＢ登録処理が終了する。登録キャンセルしない場合（ステップＳ６；ＮＯ）、転写紙の紙種を設定するか否かが操作部３０を介してユーザから入力され、その入力内容に基づいて、紙種を設定するか否かが判別される（ステップＳ７）。
【００７２】
紙種を設定する場合（ステップＳ７；ＹＥＳ）、設定する紙種が操作部３０を介してユーザから入力される（ステップＳ８）。そして、ステップＳ８で入力した紙種を設定確定するか否かが操作部３０を介してユーザから入力され、その入力内容に基づいて、紙種を設定確定するか否かが判別される（ステップＳ９）。紙種を設定確定する場合（ステップＳ９；ＹＥＳ）、紙種が設定確定され、対応する名称が、設定された紙種に自動的に設定され（ステップＳ１０）、ステップＳ３に移行される。
【００７３】
紙種を設定確定しない場合（ステップＳ９；ＮＯ）、紙種の設定をキャンセルするか否かが操作部３０を介してユーザから入力され、その入力内容に基づいて、紙種を設定キャンセルするか否かが判別される（ステップＳ１１）。紙種を設定キャンセルする場合（ステップＳ１１；ＹＥＳ）、ステップＳ３に移行される。紙種を設定キャンセルしない場合（ステップＳ１１；ＮＯ）、ステップＳ８に移行される。
【００７４】
紙種を設定しない場合（ステップＳ７；ＮＯ）、名称を設定するか否かが操作部３０を介してユーザから入力され、その入力内容に基づいて、名称を設定するか否かが判別される（ステップＳ１２）。名称を設定する場合（ステップＳ１２；ＹＥＳ）、設定する任意の名称が操作部３０を介してユーザから入力される（ステップＳ１３）。そして、ステップＳ１３で入力した名称を設定確定するか否かが操作部３０を介してユーザから入力され、その入力内容に基づいて、名称を設定確定するか否かが判別される（ステップＳ１４）。
【００７５】
名称を設定確定する場合（ステップＳ１４；ＹＥＳ）、名称が設定確定され（ステップＳ１５）、ステップＳ３に移行される。名称を設定確定しない場合（ステップＳ１４；ＮＯ）、名称の設定をキャンセルするか否かが操作部３０を介してユーザから入力され、その入力内容に基づいて、名称を設定キャンセルするか否かが判別される（ステップＳ１６）。名称を設定キャンセルする場合（ステップＳ１６；ＹＥＳ）、ステップＳ３に移行される。名称を設定キャンセルしない場合（ステップＳ１６；ＮＯ）、ステップＳ１３に移行される。
【００７６】
名称を設定しない場合（ステップＳ１２；ＮＯ）、転写紙の坪量を設定するか否かが操作部３０を介してユーザから入力され、その入力内容に基づいて、坪量を設定するか否かが判別される（ステップＳ１７）。坪量を設定する場合（ステップＳ１７；ＹＥＳ）、設定する坪量が操作部３０を介してユーザから入力される（ステップＳ１８）。そして、ステップＳ１８で入力した坪量を設定確定するか否かが操作部３０を介してユーザから入力され、その入力内容に基づいて、坪量を設定確定するか否かが判別される（ステップＳ１９）。
【００７７】
坪量を設定確定する場合（ステップＳ１９；ＹＥＳ）、坪量が設定確定され（ステップＳ２０）、ステップＳ３に移行される。坪量を設定確定しない場合（ステップＳ１９；ＮＯ）、坪量の設定をキャンセルするか否かが操作部３０を介してユーザから入力され、その入力内容に基づいて、坪量を設定キャンセルするか否かが判別される（ステップＳ２１）。坪量を設定キャンセルする場合（ステップＳ２１；ＹＥＳ）、ステップＳ３に移行される。坪量を設定キャンセルしない場合（ステップＳ２１；ＮＯ）、ステップＳ１８に移行される。
【００７８】
坪量を設定しない場合（ステップＳ１７；ＮＯ）、転写紙の色を設定するか否かが操作部３０を介してユーザから入力され、その入力内容に基づいて、色を設定するか否かが判別される（ステップＳ２２）。色を設定する場合（ステップＳ２２；ＹＥＳ）、設定する色が操作部３０を介してユーザから入力される（ステップＳ２３）。そして、ステップＳ２３で入力した色を設定確定するか否かが操作部３０を介してユーザから入力され、その入力内容に基づいて、色を設定確定するか否かが判別される（ステップＳ２４）。
【００７９】
色を設定確定する場合（ステップＳ２４；ＹＥＳ）、色が設定確定され（ステップＳ２５）、ステップＳ３に移行される。色を設定確定しない場合（ステップＳ２４；ＮＯ）、色の設定をキャンセルするか否かが操作部３０を介してユーザから入力され、その入力内容に基づいて、色を設定キャンセルするか否かが判別される（ステップＳ２６）。色を設定キャンセルする場合（ステップＳ２６；ＹＥＳ）、ステップＳ３に移行される。色を設定キャンセルしない場合（ステップＳ２６；ＮＯ）、ステップＳ２３に移行される。
【００８０】
色を設定しない場合（ステップＳ２２；ＮＯ）、転写紙の穴あき（の有無）を設定するか否かが操作部３０を介してユーザから入力され、その入力内容に基づいて、穴あきを設定するか否かが判別される（ステップＳ２７）。穴あきを設定する場合（ステップＳ２７；ＹＥＳ）、設定する穴あきが操作部３０を介してユーザから入力される（ステップＳ２８）。そして、ステップＳ２８で入力した穴あきを設定確定するか否かが操作部３０を介してユーザから入力され、その入力内容に基づいて、穴あきを設定確定するか否かが判別される（ステップＳ２９）。
【００８１】
穴あきを設定確定する場合（ステップＳ２９；ＹＥＳ）、穴あきが設定確定され（ステップＳ３０）、ステップＳ３に移行される。穴あきを設定確定しない場合（ステップＳ２９；ＮＯ）、穴あきの設定をキャンセルするか否かが操作部３０を介してユーザから入力され、その入力内容に基づいて、穴あきを設定キャンセルするか否かが判別される（ステップＳ３１）。穴あきを設定キャンセルする場合（ステップＳ３１；ＹＥＳ）、ステップＳ３に移行される。穴あきを設定キャンセルしない場合（ステップＳ３１；ＮＯ）、ステップＳ２８に移行される。
【００８２】
穴あきを設定しない場合（ステップＳ２７；ＮＯ）、表裏調整（主副画像位置及び主副画像倍率）を設定するか否かが操作部３０を介してユーザから入力され、その入力内容に基づいて、表裏調整を設定するか否かが判別される（ステップＳ３２）。表裏調整を設定しない場合（ステップＳ３２；ＮＯ）、ステップＳ３に移行される。表裏調整を設定する場合（ステップＳ３２；ＹＥＳ）、設定する表裏調整の主副画像位置及び主副画像倍率が操作部３０を介してユーザから入力される（ステップＳ３３）。そして、ステップＳ２８で入力した表裏調整を設定確定するか否かが操作部３０を介してユーザから入力され、その入力内容に基づいて、表裏調整を設定確定するか否かが判別される（ステップＳ３４）。
【００８３】
表裏調整を設定確定する場合（ステップＳ３４；ＹＥＳ）、表裏調整の主副画像位置及び主副画像倍率が設定確定され（ステップＳ３５）、ステップＳ３に移行される。表裏調整を設定確定しない場合（ステップＳ３４；ＮＯ）、表裏調整の設定をキャンセルするか否かが操作部３０を介してユーザから入力され、その入力内容に基づいて、表裏調整を設定キャンセルするか否かが判別される（ステップＳ３６）。表裏調整を設定キャンセルする場合（ステップＳ３６；ＹＥＳ）、ステップＳ３に移行される。表裏調整を設定キャンセルしない場合（ステップＳ３６；ＮＯ）、ステップＳ３３に移行される。
【００８４】
登録された転写紙ＤＢ８０は、操作部３０を介するユーザの指示入力等により、不揮発メモリ１２から読み出してＬＣＤ３１に表示させることができる。例えば、図８の転写紙ＤＢ表示画面２００に示すように、転写紙ＤＢ８０の各レコードを一覧表示する。転写紙ＤＢ表示画面２００の表示により、ユーザは、各レコードの登録番号、名称、紙種、坪量、色、穴あき、表裏調整を目視により確認できる。なお、転写紙ＤＢ表示画面２００では、名称が全て紙種に自動設定されている場合を示す。
【００８５】
次いで、図９を参照して、トレイＤＢ９０を設定するトレイＤＢ設定処理を説明する。例えば、操作部３０を介してユーザからトレイＤＢ設定処理実行指示が入力されたことをトリガとして、画像制御部１１において、不揮発メモリ１２からトレイＤＢ設定プログラムが読み出され、ＲＡＭに展開されたトレイＤＢ設定プログラムと、ＣＰＵとの協働により、トレイＤＢ設定処理が実行される。本実施の形態においては、ＣＰＵ及びトレイＤＢ設定プログラムが設定手段として機能する。
【００８６】
予め、トレイＤＢ９０には、各トレイのトレイ番号９０Ａが設定され、さらに、トレイＤＢ９０を設定していないレコードには、デフォルトの情報として普通紙の転写紙情報が転写紙情報９０Ｃに設定されているものとする。
【００８７】
先ず、どのトレイの情報を設定するかが操作部３０を介してユーザから選択入力される（ステップＳ４１）。そして、選択したトレイについて転写紙情報及び名称を設定するか否かが操作部３０を介してユーザから入力され、その入力内容に基づいて、選択したトレイの転写紙情報を設定するか否かが判別される（ステップＳ４２）。選択したトレイの転写紙情報及び名称を設定しない場合（ステップＳ４２；ＮＯ）、ステップＳ４１に移行される。
【００８８】
選択したトレイの転写紙情報及び名称を設定する場合（ステップＳ４２；ＹＥＳ）、不揮発メモリ１２に記憶して登録された転写紙ＤＢ８０が読み出されてＬＣＤ３１に表示される（ステップＳ４３）。そして、表示された転写紙ＤＢ８０のレコードから選択したトレイのトレイＤＢ９０のレコードへの転写紙情報及び名称の設定をキャンセルするか否かが操作部３０を介してユーザから入力され、その入力内容に基づいて、表示された転写紙ＤＢからトレイＤＢへの転写紙情報及び名称の設定をキャンセルするか否かが判別される（ステップＳ４４）。表示された転写紙ＤＢからトレイＤＢへの転写紙情報及び名称の設定をキャンセルする場合（ステップＳ４４；ＹＥＳ）、ステップＳ４１に移行される。
【００８９】
表示された転写紙ＤＢからトレイＤＢへの転写紙情報及び名称の設定をキャンセルしない場合（ステップＳ４４；ＮＯ）、表示された転写紙ＤＢ８０から設定するレコードが操作部３０を介してユーザから選択入力される（ステップＳ４５）。そして、選択した転写紙ＤＢ８０のレコードから選択したトレイのトレイＤＢ９０のレコードへの転写紙情報及び名称の設定を確定するか否かが操作部３０を介してユーザから入力され、その入力内容に基づいて、転写紙情報及び名称の設定を確定するか否かが判別される（ステップＳ４６）。転写紙情報及び名称の設定を確定しない場合（ステップＳ４６；ＮＯ）、ステップＳ４５に移行される。
【００９０】
転写紙情報及び名称の設定を確定する場合（ステップＳ４６；ＹＥＳ）、選択したトレイに設けられる図示しない転写紙サイズ検知手段により、そのトレイに収容されている転写紙のサイズが取得される（ステップＳ４７）。そして、選択した転写紙ＤＢ８０のレコードの名称８０Ｂ、転写紙情報８０Ｃと、取得した転写紙のサイズとが、選択したトレイのトレイＤＢ９０のレコードの名称９０Ｂ、転写紙情報９０Ｃ及びサイズ９０Ｄへ設定され、その設定したトレイＤＢ９０が不揮発メモリ１２に記憶され（ステップＳ４８）、トレイＤＢ設定処理が終了する。
【００９１】
次いで、図１０〜図１２を参照して、設定されたトレイＤＢ９０を変更するトレイＤＢ変更処理を説明する。例えば、操作部３０を介してユーザからトレイＤＢ変更処理実行指示が入力されたことをトリガとして、画像制御部１１において、不揮発メモリ１２からトレイＤＢ変更プログラムが読み出され、ＲＡＭに展開されたトレイＤＢ変更プログラムと、ＣＰＵとの協働により、トレイＤＢ変更処理が実行される。
【００９２】
先ず、トレイＤＢを変更するトレイＤＢ変更画面がＬＣＤ３１に表示される（ステップＳ５１）。そして、設定した転写紙情報、名称を変更確定するか否かが操作部３０を介してユーザから入力され、その入力内容に基づいて、転写紙情報、名称を変更確定するか否かが判別される（ステップＳ５２）。変更確定された場合（ステップＳ５２；ＹＥＳ）、（仮）設定した転写紙情報、名称が、トレイＤＢ９０の設定中のトレイ番号９０Ａのレコードの、転写紙情報９０Ｃ、名称９０Ｂとして設定されて不揮発メモリ１２に記憶され（ステップＳ５３）、トレイＤＢ登録処理が終了する。
【００９３】
変更確定されていない場合（ステップＳ５２；ＮＯ）、設定した転写紙情報、名称を変更キャンセルするか否かが操作部３０を介してユーザから入力され、その入力内容に基づいて、設定した転写紙情報、名称を変更キャンセルするか否かが判別される（ステップＳ５４）。変更キャンセルする場合（ステップＳ５４；ＹＥＳ）、トレイＤＢ登録処理が終了する。変更キャンセルしない場合（ステップＳ５４；ＮＯ）、転写紙の紙種を設定（変更）するか否かが操作部３０を介してユーザから入力され、その入力内容に基づいて、紙種を設定するか否かが判別される（ステップＳ５５）。
【００９４】
紙種を設定する場合（ステップＳ５５；ＹＥＳ）、設定する紙種が操作部３０を介してユーザから入力される（ステップＳ５６）。そして、ステップＳ５６で入力した紙種を設定確定するか否かが操作部３０を介してユーザから入力され、その入力内容に基づいて、紙種を設定確定するか否かが判別される（ステップＳ５７）。紙種を設定確定する場合（ステップＳ５７；ＹＥＳ）、設定する紙種に対応する任意の名称が名称９０Ｂに設定されているか否かが判別される（ステップＳ５８）。任意の名称とは、転写紙ＤＢ登録処理においてユーザにより操作入力されてトレイＤＢに設定された名称である。任意の名称が設定されていない場合（ステップＳ５８；ＮＯ）、紙種が（仮）設定され、対応する名称が、設定された紙種に自動的に（仮）設定され（ステップＳ５９）、ステップＳ５２に移行される。
【００９５】
任意の名称が設定されている場合（ステップＳ５８；ＹＥＳ）、紙種が（仮）設定され（ステップＳ６０）、ステップＳ５２に移行される。紙種を設定確定しない場合（ステップＳ５７；ＮＯ）、紙種の設定をキャンセルするか否かが操作部３０を介してユーザから入力され、その入力内容に基づいて、紙種を設定キャンセルするか否かが判別される（ステップＳ６１）。紙種を設定キャンセルする場合（ステップＳ６１；ＹＥＳ）、ステップＳ５２に移行される。紙種を設定キャンセルしない場合（ステップＳ６１；ＮＯ）、ステップＳ５６に移行される。
【００９６】
紙種を設定しない場合（ステップＳ５５；ＮＯ）、転写紙の坪量を設定（変更）するか否かが操作部３０を介してユーザから入力され、その入力内容に基づいて、坪量を設定するか否かが判別される（ステップＳ６２）。坪量を設定する場合（ステップＳ６２；ＹＥＳ）、設定する坪量が操作部３０を介してユーザから入力される（ステップＳ６３）。そして、ステップＳ６３で入力した坪量を設定確定するか否かが操作部３０を介してユーザから入力され、その入力内容に基づいて、坪量を設定確定するか否かが判別される（ステップＳ６４）。
【００９７】
坪量を設定確定する場合（ステップＳ６４；ＹＥＳ）、坪量が（仮）設定され（ステップＳ６５）、ステップＳ５２に移行される。坪量を設定確定しない場合（ステップＳ６４；ＮＯ）、坪量の設定をキャンセルするか否かが操作部３０を介してユーザから入力され、その入力内容に基づいて、坪量を設定キャンセルするか否かが判別される（ステップＳ６６）。坪量を設定キャンセルする場合（ステップＳ６６；ＹＥＳ）、ステップＳ５２に移行される。坪量を設定キャンセルしない場合（ステップＳ６６；ＮＯ）、ステップＳ６３に移行される。
【００９８】
坪量を設定しない場合（ステップＳ６２；ＮＯ）、転写紙の色を設定（変更）するか否かが操作部３０を介してユーザから入力され、その入力内容に基づいて、色を設定するか否かが判別される（ステップＳ６７）。色を設定する場合（ステップＳ６７；ＹＥＳ）、設定する色が操作部３０を介してユーザから入力される（ステップＳ６８）。そして、ステップＳ６８で入力した色を設定確定するか否かが操作部３０を介してユーザから入力され、その入力内容に基づいて、色を設定確定するか否かが判別される（ステップＳ６９）。
【００９９】
色を設定確定する場合（ステップＳ６９；ＹＥＳ）、色が（仮）設定され（ステップＳ７０）、ステップＳ５２に移行される。色を設定確定しない場合（ステップＳ６９；ＮＯ）、色の設定をキャンセルするか否かが操作部３０を介してユーザから入力され、その入力内容に基づいて、色を設定キャンセルするか否かが判別される（ステップＳ７１）。色を設定キャンセルする場合（ステップＳ７１；ＹＥＳ）、ステップＳ５２に移行される。色を設定キャンセルしない場合（ステップＳ７１；ＮＯ）、ステップＳ６８に移行される。
【０１００】
色を設定しない場合（ステップＳ６７；ＮＯ）、転写紙の穴あき（の有無）を設定（変更）するか否かが操作部３０を介してユーザから入力され、その入力内容に基づいて、穴あきを設定するか否かが判別される（ステップＳ７２）。穴あきを設定する場合（ステップＳ７２；ＹＥＳ）、設定する穴あきが操作部３０を介してユーザから入力される（ステップＳ７３）。そして、ステップＳ７３で入力した穴あきを設定確定するか否かが操作部３０を介してユーザから入力され、その入力内容に基づいて、穴あきを設定確定するか否かが判別される（ステップＳ７４）。
【０１０１】
穴あきを設定確定する場合（ステップＳ７４；ＹＥＳ）、穴あきが（仮）設定され（ステップＳ７５）、ステップＳ５２に移行される。穴あきを設定確定しない場合（ステップＳ７４；ＮＯ）、穴あきの設定をキャンセルするか否かが操作部３０を介してユーザから入力され、その入力内容に基づいて、穴あきを設定キャンセルするか否かが判別される（ステップＳ７６）。穴あきを設定キャンセルする場合（ステップＳ７６；ＹＥＳ）、ステップＳ５２に移行される。穴あきを設定キャンセルしない場合（ステップＳ７６；ＮＯ）、ステップＳ７３に移行される。
【０１０２】
穴あきを設定しない場合（ステップＳ７２；ＮＯ）、転写紙の表裏調整（主副画像位置及び主副画像倍率）を設定（変更）するか否かが操作部３０を介してユーザから入力され、その入力内容に基づいて、表裏調整を設定するか否かが判別される（ステップＳ７７）。表裏調整を設定しない場合（ステップＳ７７；ＮＯ）、ステップＳ５２に移行される。表裏調整を設定する場合（ステップＳ７７；ＹＥＳ）、設定する表裏調整の主副画像位置及び主副画像倍率が操作部３０を介してユーザから入力される（ステップＳ７８）。そして、ステップＳ７８で入力した表裏調整を設定確定するか否かが操作部３０を介してユーザから入力され、その入力内容に基づいて、表裏調整を設定確定するか否かが判別される（ステップＳ７９）。
【０１０３】
表裏調整を設定確定する場合（ステップＳ７９；ＹＥＳ）、表裏調整の主副画像位置及び主副画像倍率が（仮）設定され（ステップＳ８０）、ステップＳ５２に移行される。表裏調整を設定確定しない場合（ステップＳ７９；ＮＯ）、表裏調整の設定をキャンセルするか否かが操作部３０を介してユーザから入力され、その入力内容に基づいて、表裏調整を設定キャンセルするか否かが判別される（ステップＳ８１）。表裏調整を設定キャンセルする場合（ステップＳ８１；ＹＥＳ）、ステップＳ５２に移行される。表裏調整を設定キャンセルしない場合（ステップＳ８１；ＮＯ）、ステップＳ７８に移行される。
【０１０４】
設定されたトレイＤＢ９０は、操作部３０を介するユーザの指示入力等により、不揮発メモリ１２から読み出してＬＣＤ３１に表示させることができる。例えば、図１３のトレイＤＢ表示画面３００に示すように、トレイＤＢ９０のうちの選択されたレコードを表示する。トレイＤＢ表示画面３００の表示により、ユーザは、トレイの、名称、サイズ、紙種、坪量、色、穴あき、表裏調整（主副画像位置、主副画像倍率）を目視により確認できる。なお、トレイＤＢ表示画面３００では、名称が紙種に自動設定されている場合を示す。
【０１０５】
次いで、トレイＤＢ９０を用いてプリントする動作を説明する。プリント時には、複写機１において、不揮発メモリ１２からトレイＤＢ９０が読み出されてＬＣＤ３１に表示される。そして、使用するトレイのレコードが操作部３０を介してユーザから入力され、選択されたレコードの転写紙情報９０Ｃを用いて転写紙に画像がプリントされる。
【０１０６】
例えば、転写紙情報９０Ｃの紙種９１及び坪量９２を用いて、ラインスピード、定着温度、帯電電流及びレーザパワーのうちの少なくとも一つが調整されて画像プリントされる。ラインスピードを基本として、定着温度、帯電電流、レーザパワーを組み合わせて調整するのが好ましい。
【０１０７】
ラインスピードは、搬送機構４１における紙搬送速度と、画像書込部４２における書き込み速度と、である。ラインスピードを自動的に調整することにより、転写紙上のトナー像の定着性を確保できる。ラインスピードは、３段階等、複数段階が用意される。定着温度は、定着部４３における定着温度である。定着温度を調整することにより、定着性の確保を実現できる。特に、定着温度の調整をラインスピードの調整ともに行うことで、より高い定着性の確保が実現でき好ましい。
【０１０８】
帯電電流は、画像書込部４２の帯電部に入力する電流であり、感光体ドラムの帯電量に対応する。帯電電流を調整することで、感光体ドラムに付着させるトナー量を調整でき、画像濃度を制御できる。レーザパワーは、画像書込部４２の露光部でのレーザパワーである。レーザパワーを調整することで、画像濃度を制御できる。
【０１０９】
また、両面プリントの場合には、転写紙情報９０Ｃの主副画像位置９５及び主副画像倍率９６を用いて、転写紙の表面と裏面との画像合わせが行われて、プリントされる。
【０１１０】
以上、本実施の形態によれば、複数の転写紙情報と各転写紙情報に対応した複数の名称とを、転写紙情報８０Ｃ及び名称８０Ｂに登録し、登録された複数の名称８０Ｂ及び転写紙情報８０Ｃのレコードを選択して各トレイの名称９０Ｂ及び転写紙情報９０Ｃに設定するので、登録した複数の名称８０Ｂ及び転写紙情報８０Ｃから各トレイの名称及び転写紙情報を選択して名称９０Ｂ及び転写紙情報９０Ｃに容易に設定できるとともに、名称８０Ｂを用いて転写紙情報８０Ｃから各トレイの転写紙情報を容易に選択できる。
【０１１１】
また、ステップＳ１３において、操作入力された名称を名称８０Ｂに設定（後に登録）するので、ユーザが任意の名称を登録できる。
【０１１２】
また、ステップＳ１０において、入力された転写紙情報の紙種を名称８０Ｂとして自動的に設定（後に登録）するので、ユーザが名称を入力することなく容易に名称８０Ｂを登録できるとともに、ユーザが名称８０Ｂから転写紙情報の紙種を容易に把握できる。
【０１１３】
また、登録された転写紙情報８０Ｃ及び名称８０Ｂを変更できる。また、ステップＳ５９において、登録された転写紙情報８０Ｃ及び名称８０Ｂから各トレイの転写紙情報９０Ｃ及び名称９０Ｂを設定し、任意の名称９０Ｂが設定されていない転写紙情報９０Ｃの紙種を変更する場合に、その変更した紙種を名称９０Ｂに自動的に設定するので、任意に名称設定されている名称９０Ｂを自動的に変更することを防ぎ、ユーザが名称を入力することなく容易に名称９０Ｂを設定できるとともに、ユーザが名称９０Ｂから転写紙情報の紙種を容易に把握できる。
【０１１４】
また、登録された名称８０Ｂとともに、対応する転写紙情報８０ＣをＬＣＤ３１に表示するので、ユーザが目視により、名称８０Ｂ及び転写紙情報８０Ｃの対応関係とともに、各転写紙の情報を容易に把握できる。
【０１１５】
また、転写紙情報は、転写紙の紙種、坪量、色、パンチ穴の有無、主副画像位置及び主副走査倍率を含むので、転写紙情報を多様に構成できる。
【０１１６】
なお、以上の実施の形態における記述は、本発明に係る好適な画像形成装置及び転写紙情報設定方法の一例であり、これに限定されるものではない。
また、以上の実施の形態における画像形成装置を構成する各部の細部構成及び細部動作に関して本発明の趣旨を逸脱することのない範囲で適宜変更可能である。
【０１１７】
例えば、上記実施の形態においては、画像形成装置として、複写機１を説明したが、これに限定されるものではなく、プリンタ等の画像形成装置に代えてもよい。その場合、上記実施の形態において、操作部３０を介してユーザが入力した情報は、画像形成装置とＬＡＮを介して接続されたユーザ端末ＰＣによりＬＡＮを介して入力してもよい。また、転写紙ＤＢ登録処理のステップＳ１０において、設定された紙種を自動的に転写紙の名称に設定しているが、これに限定されるものではなく、設定された転写紙情報の項目のうちの少なくとも一つを自動的に転写紙の名称に設定する構成としてもよい。また、トレイＤＢ変更処理のステップＳ５９において、任意名称が設定されていない場合に、設定された紙種を自動的にトレイの名称に設定しているが、これに限定されるものではなく、設定された転写紙情報の項目のうちの少なくとも一つを自動的にトレイの名称に設定する構成としてもよい。
【０１１８】
また、転写紙情報は、転写紙の紙種、坪量、色、パンチ穴の有無、主副画像位置及び主副走査倍率の少なくとも一つを含むこととしてもよい。
【図面の簡単な説明】
【０１１９】
【図１】本発明に係る実施の形態の複写機１の構成を示す図である。
【図２】複写機１の機能構成を示すブロック図である。
【図３】（ａ）は、転写紙ＤＢ８０の構成を示す図である。（ｂ）は、トレイＤＢ９０の構成を示す図である。
【図４】転写紙ＤＢ登録処理を示すフローチャートである。
【図５】転写紙ＤＢ登録処理の続きを示すフローチャートである。
【図６】転写紙ＤＢ登録処理の続きを示すフローチャートである。
【図７】転写紙ＤＢ登録処理の続きを示すフローチャートである。
【図８】転写紙ＤＢ表示画面２００を示す図である。
【図９】トレイＤＢ設定処理を示すフローチャートである。
【図１０】トレイＤＢ変更処理を示すフローチャートである。
【図１１】トレイＤＢ変更処理の続きを示すフローチャートである。
【図１２】トレイＤＢ変更処理の続きを示すフローチャートである。
【図１３】トレイＤＢ表示画面３００を示す図である。
【符号の説明】
【０１２０】
１  複写機
１ａ  プリントコントローラ
１０  制御本体部
１１  画像制御部
１２  不揮発メモリ
１３  読取処理部
１４  圧縮ＩＣ
１５  ＤＲＡＭ制御ＩＣ
１６  画像メモリ
１６ａ 圧縮メモリ
１６ｂ ページメモリ
１７  伸張ＩＣ
１８  書込処理部
１９  ＬＡＮＩＦ
２０  画像読取部
２１  ＡＤＦ部
２２  スキャナ部
２３  ＣＣＤ
２４  読取制御部
３０  操作部
３１  ＣＣＤ
３２  操作部制御部
４０   プリンタ部
４１   搬送機構
４２   画像書込部
４３   定着部
４４   画像形成部
４５   プリンタ制御部
５０  給紙ユニット
５１〜５４  トレイ
１ｂ  制御本体部
６１  コントローラ制御部
６２  ＬＡＮＩＦ
６３  ＤＲＡＭ制御ＩＣ
６４  画像メモリ
７０  後処理ユニット
７１  排紙トレイ
【図１】
2006151608.tif 000003
【図２】
2006151608.tif 000004
【図３】
2006151608.tif 000005
【図４】
2006151608.tif 000006
【図５】
2006151608.tif 000007
【図６】
2006151608.tif 000008
【図７】
2006151608.tif 000009
【図８】
2006151608.tif 000010
【図９】
2006151608.tif 000011
【図１０】
2006151608.tif 000012
【図１１】
2006151608.tif 000013
【図１２】
2006151608.tif 000014
【図１３】
2006151608.tif 000015